(57)【要約】【課題】ハンドルの抜け止め防止の効果を確実かつ強固にすること。【解決手段】ハンドルと角軸を、固着具を介して一体的に連結するハンドルの抜け止め構造に於いて、ハンドルと角軸との連結時、前記固着具をハンドルの筒状軸部にねじ込むと、該固着具の先端部が前記角軸の収納溝に設けた係止片の背面を押し上げ、これにより係止片の係止爪が筒状軸部の軸取付け穴の内壁に形成した係合溝内に入り込むこと特徴とするハンドルの抜け止め構造。【選択図】図９
2009179953.tif 000002
【特許請求の範囲】
【請求項１】
ハンドルと角軸を、固着具を介して一体的に連結するハンドルの抜け止め構造に於いて、ハンドルと角軸との連結時、前記固着具をハンドルの筒状軸部にねじ込むと、該固着具の先端部が前記角軸の収納溝に設けた係止片の背面を押し上げ、これにより係止片の係止爪が筒状軸部の軸取付け穴の内壁に形成した係合溝内に入り込むこと特徴とするハンドルの抜け止め構造。
【請求項２】
請求項１に於いて、係止片は、その基端部が該角軸に軸支されていることを特徴とするハンドルの抜け止め構造。
【発明の詳細な説明】
【技術分野】
【０００１】
本発明は、ビルのサッシ型開閉窓、室内扉等の開閉体用のハンドルの抜け止め構造に関する。
【背景技術】
【０００２】
特許文献１には、「径方向に貫通するねじ孔（１０）が周側部に形成された操作部材（２）の筒部（２Ａ）内に棒状体（１）を同軸心状に挿通し、前記ねじ孔（１０）に止めねじ（９）を螺合させて当該止めねじ（９）の先端を棒状体（１）の外周面に押圧することにより、前記筒部（２Ａ）を棒状体（１）に固定するようにした操作部材の固定構造において、前記棒状体（１）の外周面における前記止めねじ（９）の先端が当接する部分に、当該棒状体（１）の抜け方向に向かうに従って同棒状体（１）の径内側に変位する傾斜面（１１）を形成した操作部材の固定構造」が開示されている（符号は特許文献１のもの）。
【０００３】
特許文献１に記載の実施例は、ハンドルの抜け止め防止の効果を十分に得ることができるという利点があった。しかし、ハンドルの抜け止め防止の効果を確実かつ強固（例えば長年使用しても、半永久的に止めねじ９が緩まない）にするためには、まだ改良すべき余地があった。
【特許文献１】特開平８−１８４２２５号公報
【発明の開示】
【発明が解決しようとする課題】
【０００４】
本発明の所期の目的は、開閉体用の角軸とハンドルの取付け施工現場に於いて、ハンドルの抜け止め防止の効果を確実かつ強固に得ることができることである。また、例えばハンドルをビルの傾倒可能なサッシ窓の框に取付けた場合には、ネジが緩むことによってハンドルが落下しないことである。
【課題を解決するための手段】
【０００５】
本発明のハンドルの抜け止め構造は、ハンドルと角軸を、固着具を介して一体的に連結するハンドルの抜け止め構造に於いて、ハンドルと角軸との連結時、前記固着具をハンドルの筒状軸部にねじ込むと、該固着具の先端部が前記角軸の収納溝に設けた係止片の背面を押し上げ、これにより係止片の係止爪が筒状軸部の軸取付け穴の内壁に形成した係合溝内に入り込むこと特徴とする。
【０００６】
具体的には、径方向に軸取付け穴に連通するネジ孔が形成された筒状軸部を有するハンドルと、前記軸取付け穴に嵌挿され、かつ前記ネジ孔に螺合する固着具を介して前記筒状軸部に固定される角軸とから成るハンドルの抜け止め構造に於いて、前記筒状軸部の軸取付け穴の内壁に係合溝を形成し、一方、前記角軸に前記ネジ孔に符合する前記固着具用の案内孔を形成し、さらに、前記角軸の長手方向の収納溝には、その基端部が該角軸に軸支されていると共に自由端部に係止爪を有する係止片を設け、角軸とハンドルとの連結時、前記固着具を前記ネジ孔に螺合させると、該止めネジの先端が前記案内孔を介して係止片の自由端部の背面を押圧し、該押圧力により、係止片が位置変位して前記係止爪が前記係合溝へと係合可能な状態へと浮き出ることを特徴とする。
【０００７】
なお、係止片の基端部は、必ずしも角軸を軸支する必要はない。要は、固着具の先端部が前記角軸の収納溝に設けた係止片の背面を押し上げ、これにより係止片の係止爪が筒状軸部の軸取付け穴の内壁に形成した係合溝内に入り込めば良い。したがって、係止片の長さ、筒状軸部の係合溝の大きさは、その形成位置も含め任意に設計変更することができる。
【発明の効果】
【０００８】
（ａ）ハンドルの抜け止め防止の効果を確実かつ強固に得ることができる。
（ｂ）特許文献１と比較すると、特許文献１では、固着具としての止めねじの先端は、棒状体（角軸）の傾斜状の係合面に直接的に当たるのに対して、本願発明では、固着具としての止めネジは、角軸の長手方向の収納溝に全体或いは係止爪の先端部分を除いて略全体が納められた係止片を介して当たる。付言すると、本願発明の固着具は、特許文献１とは相違し、係止片１５の背面により、固着具１０をその半径方向に押し付ける。したがって、係合溝１１の内壁面１１ａから係止爪１６に抜け方向の力が作用しても、その分力が部材同士の摩擦方向ではなく、いわば固着具１０を押え付ける方向へと作用するので、固着具が全く緩まない。したがって、ハンドルの抜け止め防止の効果を、半永久的に得ることができる。
（ｃ）また、例えばハンドルをビルの傾倒可能なサッシ窓の框に取付けた場合には、ネジが緩むことによってハンドルが落下しない。
【発明を実施するための最良の形態】
【０００９】
以下、図１乃至図９に示す本発明を実施するための最良の形態（第１実施例）により説明する。
【００１０】
（１）発明の実施の環境
まず、図１は発明の実施の環境を示す概略説明図である。図１に於いて、１はビルのサッシ型開閉窓、室内扉等の開閉体で、この開閉体１の自由端部（開放側の端部）には、図示しない錠箱が内装されている。錠箱には、特に図示しないが反転ラッチ、ラッチボルト等のラッチが設けられ、該ラッチはラッチバネにより、その先端部が錠箱のフロントから常時突出するように付勢されている。
【００１１】
次に、２は開閉体１の内壁面に固定される図示しない内側の座構成部材を介して回転自在に取り付けられる内側のハンドル（例えばレバーハンドル）である。一方、３は開閉体１の外壁面に固定される図示しない外側の座構成部材を介して回転自在に取り付けられる外側のハンドル（例えばレバーハンドル）である。内外のハンドル２，３は、角軸と称される棒状体（以下、「角軸」という）４を介して一体的に連結されている。したがって、周知のように、例えば内側のハンドル２の握り部を押し下げるように操作すると、内側のハンドル２、角軸４及び外側のハンドル３は一体的に回動する。そして、内側のハンドル２を押し下げると、図示しないラッチ出没機構により、ラッチが錠箱内へと後退することから、当該内側のハンドル２を手前に引くことができる。
【００１２】
さて、内外のハンドル２，３は、先端部分に小径の首部分（ボス部）５を有する筒状軸部６と、この筒状軸部６に交差方向に連設する握り部７をそれぞれ有し、筒状軸部６乃至握り部７は全体として平面視Ｌ型形状をしている（図１参照）。また、前記筒状軸部６には、その首部分５の先端面から軸方向に角型の軸取付け穴８がそれぞれ所要量形成されている。したがって、角軸４の左右両端部は、前記筒状軸部６の軸取付け穴８に嵌挿され、或いは角軸４の左右両端部に内外のハンドル２，３の筒状軸部６がそれぞれ外嵌合する。
【００１３】
また、ハンドル軸と称される角軸４は、図１で示すように、図示しない錠箱とラッチハブを含む開閉体１及び図示しない内外の座構成部材をそれぞれ貫通している。普通一般に、角軸４の基端部は、外側のレバーハンドル３の筒状軸部６に予め一体的に固定されており、その他端部は、内側座構成部材の貫通孔に嵌め込まれる内側のレバーハンドル２の筒状軸部６に、ネジ孔９、該ネジ孔に螺合する止めネジ１０を介して固定される。
【００１４】
（２）発明の主要部
ここでは、内側のレバーハンドル２を一例にして発明の主要部を説明する。本発明はハンドルの抜け止め防止が所期の目的である。したがって、発明の所期の目的が同じである特許文献１との関係では、「径方向に軸取付け穴８に連通するネジ孔９が形成された筒状軸部６を有するハンドル２と、前記軸取付け穴８に嵌挿され、かつ前記ネジ孔９に螺合する固着具１０を介して前記筒状軸部６に固定される角軸４とから成るハンドルの抜け止め構造Ｘ」を前提とする。
【００１５】
図２乃至図９は、ハンドルの抜け止め構造Ｘを具体的に示す各説明図である。まず、図２、図４で示すように、レバーハンドル２の筒状軸部６の軸取付け穴８の内壁には、半径外方向に所要量の係合溝１１が形成されている。この係合溝１１は、例えば断面下向き凹所状に形成され、軸取付け穴８の内壁の奥の部位に形成されている。
【００１６】
付言すると、図４で示すように、断面角型形状の軸取付け穴８と断面下向き凹所状の係合溝１１と断面水平長孔状のネジ孔９は、それぞれ互いに連通している。なお、ネジ孔９、軸取付け穴８、係合溝１１の断面形状や形成位置は任意に設計変更し得る事項であり、例えば開閉体１がビルのサッシ型開閉窓である場合には、前記ネジ孔９は、角軸４と筒状軸部６との位置合わせを考慮して、例えば軸方向に１ｍｍ、１．４ｍｍ、１．８ｍｍ、２ｍｍ等のミリ単位の幅が設けられている。
【００１７】
次に、図２、図５及び図６を参照にして角軸４の構成を説明する。角軸４の挿入先端部４ａには、筒状軸部６のネジ孔９に符合する止めネジ１０用の案内孔１２が形成されている。本実施例の案内孔１２は、例えば角軸４の隣り合う２つの面によって形成された一つの稜線部１３の外面部位から角軸４の長手方向（例えば他の稜線部１３ａ）に沿って形成された細幅の筋状収納溝１４に連通するように、少なくとも角軸４の中心部まで形成されている。もちろん、前記筋状収納溝１４は、他の一つの稜線部１３ａの全長に亘って形成しても良いし、又は図５で示すように部分的であっても良い。
【００１８】
ところで、本実施例の角軸４は、前記筋状収納溝１４内に回転可能な長板状係止片１５を備えている。すなわち、角軸４の長手方向の収納溝１４には、その基端部１５ａが該角軸４にピン状の軸１７を介して軸支されていると共に、その自由端部１５ｂに係止爪１６を有する長板状の係止片１５の全長が、その係止爪１６の先端部分を除き内設されている。
【００１９】
（３）角軸とハンドルとの連結時
角軸４とハンドル２との連結時、まず、図７で示すように、ハンドル２の筒状軸部６の軸取付け穴８に角軸４の挿入先端部を嵌挿する、或いは角軸４の挿入先端部にハンドル２の筒状軸部６を外嵌合する。この場合、筒状軸部６のネジ孔９と角軸４の案内孔１２との位置合わせが重要なので、例えば角軸４の挿入先端部４ａの先端面が軸取付け穴８の奥の垂直内面８ａに当たるようにする。このように位置決めが終わったら、止めネジ１０をネジ孔９に螺合させる。
【００２０】
固着具１０は、「イボネジ、或いは止めネジ」と称され、普通一般に頭部を有さず、螺合時、完全にネジ孔９内に入り込んでしまう。図８は、固着具１０の先端部１０ａと長板状係止片１５の自由端部１５ｂの背面１５ｃとの接触関係を示した作用図である。この作用図で示すように、本実施例の固着具１０の先端部１０ａは尖端であるのに対して、前記自由端部１５ｂの外面（背面）１５ｃは略水平状態である。図９は、工具で固着具１０をねじ込んだ結果、固着具１０の先端部１０ａが角軸４の案内孔１２を介して長板状係止爪１５の自由端部１５ｂの背面を押圧し、該押圧力により、長板状係止片１５が軸１７を支点に位置変位して、係止爪１６が筒状軸部６の係合溝１１へと係合可能な状態へと浮き出た状態を示す。つまり、係止片１５が固着具１０によって係止爪１６側から押し上げられる。
【００２１】
したがって、図９で示すように、係止爪１６が係合溝１１の内壁面１１ａに係合（係合可能状態も含む）することから、本発明の所期の目的・効果を達成することができる。
【実施例】
【００２２】
図８は、固着具１０の先端部１０ａと長板状係止片１５の自由端部１５ｂの背面１５ｃとの接触関係を示した作用図であるが、固着具１０の先端部１０ａと長板状係止片１５の自由端部１５ｂの背面１５ｃとの接触関係は、図１０に示す構成でも良い。
【００２３】
図１０は、図８の場合とは逆の発想であり、固着具１０の先端部１０ａは非尖端であるのに対して、前記自由端部１５ｂの外面（背面）１５ｃは、弧状或は傾斜状に形成されている。
【００２４】
要は、両部材の摩擦関係は、筒状軸部６の外部から固着具１０をねじ込みながら、該固着具１０の先端部１０ａからの押圧力を長板状係止片１５の背面１５ｃに作用させて、長板状係止片１５の鉤状係止爪１６を筒状軸部６の係合溝１１へと係合可能な状態へと浮き出させることができれば良い。それ故に、本発明の所期の目的・効果を達成することができる。
【産業上の利用可能性】
【００２５】
本発明は、主に錠前や建具の業界で利用される。
【図面の簡単な説明】
【００２６】
図１乃至図９は本発明の最良の実施例を示す各説明図。
【図１】発明の実施の環境を示す概略説明図。
【図２】主要部（角軸とハンドルとの関係）を示す概略説明図。
【図３】斜視からの説明図（ハンドルは仮想線）。
【図４】ハンドルの筒状軸部の概略断面説明図。
【図５】角軸の内部構成を示す概略断面説明図。
【図６】図５の６−６線概略断面説明図。
【図７】角軸を嵌挿した、又はハンドルを外嵌合した概略断面説明図。
【図８】図７に於いて、筒状軸部の外部から固着具をねじ込んだときの作用を示す説明図。
【図９】本発明の効果を示す概略説明図。
【図１０】固着具と係止片との接触関係を示す他例の説明図。
【符号の説明】
【００２７】
Ｘ…ハンドルの抜け止め構造、１…開閉体、２…内側のハンドル、３…外側のハンドル、４…角軸（棒状体）、４ａ…挿入先端部、５…首部分（ボス部）、６…筒状軸部、８…軸取付け穴、８ａ…奥の垂直内面、９…ネジ孔、１０…固着具（止めネジ）、１０ａ…先端部、１１…係合溝、１１ａ…係合溝の内壁面、１２…案内孔、１３…一つの稜線部、１４…筋状収納溝、１５…長板状係止片、１５ｂ…自由端部、１５ｃ…背面、１６…係止爪、１７…ピン状軸。
【図１】
2009179953.tif 000003
【図２】
2009179953.tif 000004
【図３】
2009179953.tif 000005
【図４】
2009179953.tif 000006
【図５】
2009179953.tif 000007
【図６】
2009179953.tif 000008
【図７】
2009179953.tif 000009
【図８】
2009179953.tif 000010
【図９】
2009179953.tif 000011
【図１０】
2009179953.tif 000012